(57)【要約】【課題】機器内にあるＣＤＤＢによってはアーティスト名等が入力できない時でも、ＣＤＤＢ補助データに日頃聴いている圧縮オーディオやインターネットラジオの曲情報を利用して、アーティスト名を取り込み、リッピング時にそのデータを利用できる「楽曲情報取得システム」を提供する。【解決手段】再生曲のアーティスト名を取得し、機器内ＣＤＤＢに存在するか否かを判別し、存在しないことを検出した時、ＣＤＤＢ補助データ内に存在するか否かを判別する。ＣＤＤＢ補助データ内に再生曲のアーティスト名が存在しないと判別した時、ＣＤＤＢ補助データにアーティスト名を記録する。また、ＣＤＤＢ補助データにアーティスト名が存在する時には、再生回数や再生日を記録する。リッピング時にはＣＤＤＢ内に曲が存在しない時、リッピング補助データを検索し、アーティスト名が存在する時にはそれを用いる。【選択図】図１
2013097838.tif 000002
【特許請求の範囲】
【請求項１】
再生曲のアーティスト名を取得する再生曲アーティスト名取得手段と、
前記再生曲のアーティスト名が機器内ＣＤＤＢに存在するか否かを判別するＣＤＤＢ内アーティスト名存否判別手段と、
前記ＣＤＤＢ内アーティスト名存否判別部でＣＤＤＢ内に前記再生曲のアーティスト名が存在しないことを検出した時、ＣＤＤＢ補助データ内に前記再生曲のアーティスト名が存在するか否かを判別するＣＤＤＢ補助データ内アーティスト名存否判別手段とを備え、
前記ＣＤＤＢ補助データ内アーティスト名存否判別手段で、ＣＤＤＢ補助データ内に前記再生曲のアーティスト名が存在しないと判別した時、前記ＣＤＤＢ補助データにアーティスト名を記録し、
リッピング時には前記ＣＤＤＢ内にリッピングする曲の情報が存在しない時、リッピング補助データを検索し、アーティスト名が存在する時には当該アーティスト名をリッピング曲に登録することを特徴とする楽曲情報取得システム。
【請求項２】
前記ＣＤＤＢ補助データには再生回数または再生日を記録し、
前記ＣＤＤＢ補助データ内に前記再生曲のアーティスト名が存在することを検出した時、そのアーティストの再生回数または再生日を更新して記録することを特徴とする請求項１記載の楽曲情報取得システム。
【請求項３】
前記ＣＤＤＢ補助データ内にどのようなアーティスト名が存在するかを表示する表示手段を備え、
前記表示手段は前記再生回数順または再生日順にアーティスト名を表示することを特徴とする請求項２記載の楽曲情報取得システム。
【請求項４】
前記リッピング時に、ＣＤＤＢ補助データを検索した時、ＣＤＤＢ補助データにリッピングするアーティスト名がない時には、ＣＤＤＢ内のアーティスト名を検索することを特徴とする請求項１記載の楽曲情報取得システム。に
【請求項５】
前記再生曲のアーティスト名は、圧縮オーディオの再生曲のアーティスト名であることを特徴とする請求項１記載の楽曲情報取得システム。
【請求項６】
前記再生曲のアーティスト名は、インターネットラジオの再生曲のアーティスト名であることを特徴とする請求項１記載の楽曲情報取得システム。
【発明の詳細な説明】
【技術分野】
【０００１】
本発明は車両用ナビゲーション装置等の車載機器に於いて、ＣＤのリッピング時に、ＣＤＤＢ(Compact Disk DataBase)に無い曲について、アーティスト名だけでも手入力無しで入力可能とした、楽曲情報取得システムに関する。
【背景技術】
【０００２】
現在車両には車両用ナビゲーション装置が広く搭載され、車両には無くてはならないものとなっている。一方では車両において音楽を聴くことは、重要な楽しみとなっている。
そのため、ナビゲーション装置で音楽を聴くことも多くなっている。同様にヘッドユニットで各種の音楽を聴くことも多く、ヘッドユニットとナビゲーション装置が一体化したものも存在し、これらを含めて車両用オーディオ装置という。
【０００３】
このような車両用オーディオ装置においては、一般のラジオやＣＤを聴くほか、例えばメモリカードに記録した音楽、ＵＳＢメモリに記録した音楽、各種携帯音楽プレーヤに記録した音楽、携帯電話やスマートフォンに記録した音楽等の各種音楽を聴くことができるようになっている。
【０００４】
このような音楽を聴く時に於いて、新しいＣＤを聴く時などでは、このＣＤをｍｐ３等の圧縮オーティオにして、以降はＣＤ無しでも聴けるようにしたいと思う時、或いは他の携帯機器等で同じ音楽を聴きたいと思う時には、このＣＤをリッピングしておくことが望まれる。このようなリッピングを行うことにより、以降はＣＤ無しでもほぼＣＤと同様の音質でこの音楽を聴くことができるようになる。
【０００５】
このように車両用オーディオ装置にはＣＤプレーヤと、ナビゲーション用のＨＤＤ等の大容量記録媒体が存在し、必要に応じてメモリカードや携帯オーディオプレーヤとも繋がり、リッピングによりＨＤＤ等に圧縮し記録した後のオーディオを、携帯プレーヤ等に移動して聴くことができる環境にあるため、リッピング環境としては非常に良い環境といえる。
【０００６】
このため、特にＨＤＤを有するナビゲーション装置を備えた機器に於いて、ＣＤプレーヤを備え、携帯機器と外部接続できる機能を備えた装置はリッピングするために必要な環境を全て備えており、したがってこのような機器はＣＤのリッピングを行うために重要な機器となっている。
【０００７】
一般に、リッピングを行う曲には、リッピングした曲の情報を入力しなければならない。曲情報を入れないリッピング曲は「ノンタイトル」のような表示が出るのみであり、どのようなアーティスト名か、曲名は何か等が全く不明である。即ち、ＣＤ等の再生には、曲情報が出てこないため、これをリッピングして圧縮オーディオとしても、誰の曲かが、何という曲かはわからないようになっている。
【０００８】
即ち、利用者には現在再生している曲のアーティスト名や曲名が、そのＣＤのジャケット等を見ることによりわかっているのに対して、リッピングした曲に対しては全てが「ノンタイトル」で、どのような曲かわからない状態になってしまう。そのため、一つずつアーティスト名や曲名を手入力する方法がある。
【０００９】
しかしながら、上記のような車両搭載機器に於いては、このようなリッピングを行うのは運転者であり、車両走行中の時が多い。そのため、前記手入力はできず、より簡単な手法が必要となる。そのための一つの手法としてＣＤＤＢ(Compact Disk DataBase)の利用が得られる。
【００１０】
このＣＤＤＢは曲のオーディオ波形の特徴に応じてその曲を特定し、その曲のアーティスト名や曲名を特定するもので、曲を流すと自動的にその曲のアーティスト名や曲名を知ることができる。これはインターネットにより自由にアクセスして使用できるものであるが、これ自体をＨＤＤ等にダウンロードして使用することもできる。また、このようにしてＨＤＤにダウンロードしたデータは、日々更新されているので、最新の曲情報を取り込む必要がある。
【００１１】
なお、利用者が利用するコンテンツデータの出力状況によって予測変換候補を適切に提示し、文字入力の利便性を向上させる技術は特許文献１に開示されている。また、ＣＤ等のディスク情報を容易に登録することのできるディスク再生装置を提供する技術は特許文献２に開示されている。また、  ＣＤＤＢに登録されていない音楽ＣＤの音楽情報（メタ情報）を簡便に且つ操作に不慣れなユーザにとっても容易に入力して登録可能にする技術は特許文献３か開示されている。
【先行技術文献】
【特許文献】
【００１２】
【特許文献１】特開２０１０−２７１９３８
【特許文献２】特開１００１−  ８４７４４
【特許文献３】特開２００６−３３１１２７
【発明の概要】
【発明が解決しようとする課題】
【００１３】
したがってＨＤＤ等を備えた機器においては、ＣＤＤＢを使用することを前提に使用料を払い、後は自由に使用可能としている。そのため、前記のような車両搭載機器でリッピングを行う時、アーティスト名や曲名がわからない曲は、前記のようなＣＤＤＢを利用することにより多くの場合は曲情報を取り込むことができる。
【００１４】
しかしながら、インターネットでアクセスするＣＤＤＢは常に更新しているものの、機器内に存在するＣＤＤＢのデータは古いことがあり、特に古いままのＣＤＤＢでその後インターネットにアクセスして更新していないＣＤＤＢは、新しいアーティスト名や曲に対応していない場合が多い。また。新しくＣＤＤＢを更新するため、携帯電話を接続することも行われるが、通信料が高価になる問題があり、ＣＤＤＢの更新はなかなか行われない、という問題があった。
【００１５】
その時にはやはり「ノンタイトル」のような情報がリッピングした曲に付されるのみであり、手入力でアーティスト名や曲名を入れるほか無く、前記のような車両搭載機器のオーディオ装置においては実質的に入れることができない。したがって、何らかの代替手法が求められている。
【００１６】
したがって本発明は、機器内にあるＣＤＤＢによってはアーティスト名等が入力できない時でも、日頃聴いている曲の曲情報を利用して、アーティスト名等の曲情報を容易に取り込むことができる楽曲情報取得システムを提供することを主たる目的とする。
【課題を解決するための手段】
【００１７】
本発明に係る楽曲情報取得システムは、前記課題を解決するため、再生曲のアーティスト名を取得する再生曲アーティスト名取得手段と、前記再生曲のアーティスト名が機器内ＣＤＤＢに存在するか否かを判別するＣＤＤＢ内アーティスト名存否判別手段と、前記ＣＤＤＢ内アーティスト名存否判別部でＣＤＤＢ内に前記再生曲のアーティスト名が存在しないことを検出した時、ＣＤＤＢ補助データ内に前記再生曲のアーティスト名が存在するか否かを判別するＣＤＤＢ補助データ内アーティスト名存否判別手段とを備え、前記ＣＤＤＢ補助データ内アーティスト名存否判別手段で、ＣＤＤＢ補助データ内に前記再生曲のアーティスト名が存在しないと判別した時、前記ＣＤＤＢ補助データにアーティスト名を記録し、リッピング時には前記ＣＤＤＢ内にリッピングする曲の情報が存在しない時、リッピング補助データを検索し、アーティスト名が存在する時には当該アーティスト名をリッピング曲に登録することを特徴とする。
【００１８】
また、前記ＣＤＤＢ補助データ内アーティスト名存否判別手段で、ＣＤＤＢ補助データ内に前記再生曲のアーティスト名が存在しないと判別した時、前記ＣＤＤＢ補助データにアーティスト名を記録し、リッピング時には前記ＣＤＤＢ内にリッピングする曲が存在しない時、リッピング補助データを検索し、アーティスト名が存在する時には当該アーティスト名をリッピング曲に登録することを特徴とする。
【００１９】
また、本発明に係る他の楽曲情報取得システムは、前記楽曲情報取得システムにおいて、前記ＣＤＤＢ補助データには再生回数または再生日を記録し、前記ＣＤＤＢ補助データ内に前記再生曲のアーティスト名が存在することを検出した時、そのアーティストの再生回数または再生日を更新して記録することを特徴とする。
【００２０】
また、本発明に係る他の楽曲情報取得システムは、前記楽曲情報取得システムにおいて、前記ＣＤＤＢ補助データ内にどのようなアーティスト名が存在するかを表示する表示手段を備え、前記表示手段は前記再生回数順または再生日順にアーティスト名を表示することを特徴とする。
【００２１】
また、本発明に係る他の楽曲情報取得システムは、前記楽曲情報取得システムにおいて、前記リッピング時に、ＣＤＤＢ補助データを検索した時、ＣＤＤＢ補助データにリッピングするアーティスト名がない時には、ＣＤＤＢ内のアーティスト名を検索することを特徴とする。
【００２２】
また、本発明に係る他の楽曲情報取得システムは、前記楽曲情報取得システムにおいて、前記再生曲のアーティスト名は、圧縮オーディオの再生曲のアーティスト名であることを特徴とする。
【００２３】
また、本発明に係る他の楽曲情報取得システムは、前記楽曲情報取得システムにおいて、前記再生曲のアーティスト名は、インターネットラジオの再生曲のアーティスト名であることを特徴とする。
【発明の効果】
【００２４】
本発明は上記のように構成したので、機器内にあるＣＤＤＢによってはアーティスト名等が入力できない時でも、日頃聴いている曲の曲情報を利用して、アーティスト名等の曲情報を容易に取り込むことができるようになる。
【図面の簡単な説明】
【００２５】
【図１】本発明の機能ブロック図である。
【図２】本発明においてオーディオ機器内ＣＤＤＢ補助データの蓄積処理の一実施例を行う作動フロー図である。
【図３】本発明のオーディオ機器内ＣＤＤＢ補助データの蓄積処理の第２の実施例を行う作動フロー図である。
【図４】本発明のリッピング時のＣＤＤＢと補助データの使用処理を示す作動フロー図である。
【図５】本発明の実施例を示す図である。
【発明を実施するための形態】
【実施例】
【００２６】
本発明の実施例を図面に沿って説明する。図１は本発明におけるＣＤＤＢ補助データにおけるアーティスト名を蓄積する処理部１と、リッピング時にＣＤＤＢと、前記処理により蓄積されたアーティスト名を備えたＤＢ補助データを利用してアーティスト名をリッピングデータに登録する処理を行うアーティスト名登録処理２をおこなうようにした機能ブロック図を示している。なお、同図において、各機能を行う機能部は、それぞれ各機能を行う手段ということができる。
【００２７】
図１の例においては、最初本発明におけるＣＤＤＢ補助データにおけるアーティスト名を蓄積する処理部１について説明する。ここでは圧縮オーディを再生し、或いはインターネットラジオのように、曲と共にその曲のアーティスト名や曲名が明らかな曲について、その再生曲のアーティスト名を取得する再生曲アーティスト名取得部３を備えている。
【００２８】
即ち、圧縮オーディオにはタグ情報が含まれ、その中にアーティスト名や曲名が含まれている。また、インターネットラジオには現在流れているアーティスト名や曲名がオーディオデータと共に流れている。そのため、圧縮オーディオや、インターネットラジオを聴いている時には、その曲のアーティスト名を取り込むことができる。
【００２９】
したがって、この車両搭載オーディオ装置に、メモリカードを入れてｍｐ３等の圧縮したオーディオを車両搭載機器に接続し、或いはＵＳＢメモリにｍｐ３等の音楽、或いは携帯オーディオ、携帯電話、スマートフォン等の圧縮オーディオを車両搭載機器に接続して聴く時、それらの曲のアーティスト名を取得することができる。
【００３０】
ＣＤＤＢ内アーティスト名存否判別部４では、取得した再生曲のアーティスト名がＣＤＤＢ内に含まれているか否かを検出する。これはＣＤＤＢの中のデータについて、アーティスト名で検索することによって、そのアーティスト名がＣＤＤＢに含まれているか否かを検出することができる。ここで、ＣＤＤＢに含まれている時にはそれ以降の処理は必要ない。
【００３１】
それに対して、取得したアーティスト名がＣＤＤＢに存在しないことがわかった時には、ＣＤＤＢ補助データ内にアーティスト名が存在するか否かを、ＣＤＤＢ補助データ内アーティスト名存否判別部５で判別する。このＣＤＤＢ補助データは、ＣＤＤＢとは異なり、あくまでもＣＤＤＢの利用を補助するデータとして、ＣＤＤＢに無いアーティスト名を必要に応じて再生回数１１、再生日１２と共に記録している。
【００３２】
また、このデータは必要に応じてアーティスト名表示部１０で、再生回数順１４に、または再生日順１５に見ることができ、それにより以前何回も聴いた曲のアーティスト名であるか、聴いたはかりの曲か、聴いたのはかなり前であったか、のような情報と共にアーティスト名を表示することができるようにしている。
【００３３】
このような表示を見て、アーティスト名はＣＤＤＢ補助データ内にあることがわかった時には、同じアーティスト名に再度聴いた曲の登録を行う。したがって、そのアーティスト名がＣＤＤＢ補助データに存在しないことがわかった時には、そのアーティスト名をＣＤＤＢ補助データに、再生日、再生回数１回等の関連データと共に記録する。
【００３４】
このような処理を繰り返すことにより、ＣＤＤＢ補助データはＣＤＤＢに関わらず多くなり、特に新しい曲についてはＣＤＤＢに無くてもＣＤＤＢ補助データは増えるため、後述するようにリッピング時に於けるＣＤＤＢに無い曲でも、補助データを利用してアーティスト名を手入力することなく取り込むことができる。
【００３５】
一方リッピング時にＣＤＤＢを利用し、補助データを利用してアーティスト名を登録する処理に際しては、リッピング時ＣＤＤＢ及び補充データ利用アーティスト名登録処理部２で処理を行う。ここでもＣＤＤＢ、及び前記のようにアーティスト名が蓄積されたＣＤＤＢ補助データが使用されるので、ＣＤＤＢ補助データアーティスト名蓄積処理部１に重ねて示している。
【００３６】
リッピングデータＣＤＤＢ内チェック部１６では、現在リッピングしている曲について、そのデータがＣＤＤＢ内にあるか否かを判別している。ここでＣＤＤＢ内にあったと判別した時には、この作動は全て終了する。しかしながらＣＤＤＢに無いと判別した時には、ＣＤＤＢ補助データ内アーティスト名チェック部１９で、ＣＤＤＢ補助データ内に、現在リッピングしようとしている曲のアーティスト名が存在するか否かをチェックする。
【００３７】
ここでＣＤＤＢ補助データ９について、アーティスト名表示部１３により、再生回数順１４や、再生日順１５により表示して、存在する時には、そのアーティスト名を指示してリッピング曲アーティスト名登録部１８で登録する。ここでＣＤＤＢ補助データ９に存在しない時には、図示実施例ではＣＤＤＢ内アーティスト名存否判別部１７で判別を行うようにしている。
【００３８】
即ち、図示の例では、ＣＤＤＢにその曲がないことがわかった時には、直ちにＣＤＤＢ補助データに日頃蓄えていたアーティスト名が存在するか否かを確かめており、それ以降にＣＤＤＢに記録されているアーティスト名に現在リッピング中のアーティスト名が存在するか否かを判別している。
【００３９】
ここでＣＤＤＢに存在するアーティスト名に現在リッピングしている曲のアーティスト名が存在すると判別した時には、リッピング曲についてアーティスト名を登録する。この作動はリッピング曲アーティスト名登録部１８で行っている。ここでＣＤＤＢのアーティスト名にも存在しない時には、手入力をするか、或いは無入力とし、「ノンタイトル」とする。なお、この実施例ではＣＤＤＢに曲情報が無い時先にＣＤＤＢ補助データをチェックした例を示したが、先にＣＤＤＢのアーティスト名をチェックしても良い。
【００４０】
上記のような機能ブロックから成る本発明においては、図２〜図４に示すような作動フローに従って作動させることができる。図２に示すオーディオ機器内ＣＤＤＢ補助データ蓄積処理の第１実施例においては、圧縮オーディオ再生時にＣＤＤＢ補助データに新しいアーティスト名を取り込む例を示している。
【００４１】
即ち、図２に示すオーディオ機器内ＣＤＤＢ補助データ蓄積処理の第１実施例においては、最初圧縮オーディオフアイルの再生から開始する（ステップＳ１）。それにより圧縮オーディオフアイルに含まれている再生曲のアーティスト名が取得される（ステップＳ２）。次いで再生機器内のＣＤＤＢに取得したアーティスト名があるかを調べる（ステップＳ３）。その結果、再生機器内のＣＤＤＢにアーティスト名があった時にはステップＳ６に進み、次の曲を再生したか否かを判別する。それに対して無かった時には、次いでＣＤＤＢ補助データにその取得したアーティスト名があるか否かを判別する（ステップＳ４）。
【００４２】
この処理は図１に於いて、再生曲アーティスト名取得部３がアーティスト名を取得し、ＣＤＤＢ内アーティスト名存否判別部４がＣＤＤＢ内をチェックした結果、ＣＤＤＢ内に取得したアーティスト名があると判別した時には以降の処理を終了し、次の再生曲を待つ。それに対してＣＤＤＢに取得したアーティスト名が無かった時には、ＣＤＤＢ補助データ内アーティスト名存否判別部５が、ＣＤＤＢ補助データ内に取得したアーティスト名があるか否かを判別することにより行っている。
【００４３】
ステップＳ４でＣＤＤＢ補助データ内に取得したアーティスト名があると判別した時には、ステップＳ９に進んで、存在するアーティスト名に対して、再生日時及び再生回数等を記録する。また、補助データ内に取得したアーティスト名が存在しないと判別した時には、新しいアーティスト名であると判別し、新しくアーティスト名及び再生日時等を記録する（ステップＳ５）。
【００４４】
この作動は図１に於いて、ＣＤＤＢ補助データ内アーティスト名存否判別部５がＣＤＤＢ補助データ内のアーティスト名を調べた結果、存在しないことがわかった時には、ＣＤＤＢ補助データアーティスト名及び関連データ記録部５が新しいアーティスト名を記録する。また、アーティスト名があった時には、ＣＤＤＢ補助データ内アーティスト名再生回数、及び再生日時記録部７で再生回数を更新して記録し、再生日時を新しく記録することにより行っている。
【００４５】
以降は、前記ステップＳ３で再生機内のＣＤＤＢに取得したアーティスト名があると判別した時と共にステップＳ６に進み、次の曲を再生したか否かを判別して、次の曲を再生した時にはステップＳ２に戻って再生曲のアーティスト名を取得し、以降同様の作動を繰り返す。
【００４６】
ステップＳ６で次の曲を再生していないと判別した時には、再生を終了するか否かを判別し、未だ再生を終了しない時にはステップＳ５に戻り、引き続き再生を継続し、再生を終了する時には外部接続機器の再生作動を終了して、一連の圧縮オーディオファイルの再生は終了する。
【００４７】
図３にはオーディオ機器内ＣＤＤＢ補助データ蓄積処理の第２例として、入力するオーディオデータがインターネットラジオである場合の作動を示している。その場合は最初にオーディオ機器をインターネット網に接続して、インターネットラジオのサイトに接続することから開始する（ステップＳ１１）。その後利用者が聴こうとする楽曲の条件を指定してダウンロードを指示する（ステップＳ１２）。
【００４８】
続いてインターネットから指示条件に適合した楽曲を順にダウンロードして一曲ずつ再生する（ステップＳ１３）。その後再生中の曲のアーティスト名を取得する（ステップＳ１４）。これは、インターネットラジオでは、曲と共にアーティスト名や曲名が同時に流れており、これを表示していることにより容易に取り込むことができる。
【００４９】
以降は図２のステップＳ３からの作動と同様の作動を行うので、ここでの説明は省略するが、図３に於いてインターネットラジオで再生曲のアーティスト名を取得する作動をステップＳ１４で行った結果、図１で再生曲アーティスト名取得部３でアーティスト名を取得し、以降は同様の作動を行うことになる。
【００５０】
このようなＣＤＤＢ補助データを用いて実際にリッピングする作動は図４に示すようにして行われる。図４に示すリッピング時のＣＤＤＢと補助データ使用処理においては、最初リッピング処理を開始することから始める（ステップＳ２１）。次いで機器内ＣＤＤＢにリッピング曲はあるか否かを判別している（ステップＳ２）。ここでは利用者がリッピングする曲のアーティスト名はＣＤのジャケットを見ることによりわかっているものとする。ＣＤＤＢの中にあると判別した時にはステップＳ３０に進んでＣＤＤＢによりアーティスト名や曲名を登録する。これはＣＤＤＢを利用する通常の形態である。
【００５１】
ステップＳ２２で機器内ＣＤＤＢにリッピング曲はないと判別した時には、図４の実施例では、再生機器内のＣＤＤＢ補助データのアーティスト名を再生回数順または再生日順に表示するか否かを判別している。ここで利用者は表示部に表示される再生日順、再生回数順、五十音順等の表示を見て、再生回数順を選んだ時には再生回数順にアーティスト名を並べる（ステップＳ２４）。それに対して再生日順を選んだ時には再生回数の多い順に並べる（ステップＳ３２）。また五十音順を選んだ時にはアーティスト名順に並べて表示する（ステップＳ３１）。
【００５２】
その後ＣＤＤＢ補助データにアーティスト名はあるか否かを判別し（ステップＳ２６）、存在する時にはそれを指示することによりアーティスト名をリッピング曲に登録する。このようにして、ＣＤＤＢに無い曲も手入力することなく単に指示するだけでアーティスト名を登録することができる。従ってこのリッピング曲は「ノンタイトル」の表示が出ることなく、以降は特定のアーティスト名の中にその曲が入っており、別のプレーヤにおいてもこのアーティスト名で聴くことができる。
【００５３】
ステップＳ２６でＣＤＤＢ補助データにアーティスト名が無いと判別した時には、図４の実施例ではＣＤＤＢのアーティスト名をリスト表示する。その後リストの中に所望のアーティスト名があるか否かを判別し（ステップＳ２８）、存在した時にはリッピング曲にそのアーティスト名を登録する。この時表示されるアーティスト名は膨大な数であり、通常は五十音で探すこととなる。また、リスト内に所望のアーティストがないときには手入力、または無入力となる。
【００５４】
図５は本発明の作動を図示したもので、同図（ａ）にはＣＤＤＢ補助データの蓄積処理を示している。同図に於いて圧縮オーディオまたは、インターネットラジオ等により「○○○○アーティスト」の名前を取得して、ＣＤＤＢに存在するか否かを問い合わせると、そのアーティストは存在しないことがわかると、ＣＤＤＢ補助データに問い合わせる。そこにも無いことがわかると、「○○○○アーティスト」をＣＤＤＢ補助データに記録すると共に、同時に「○○月○日」に再生したことも記録する。このような処理を繰り替えすことにより、ＣＤＤＢ補助データは蓄積されていく。
【００５５】
リッピングに際しては、「○○○○アーティスト」の曲がリッピング曲にかかった時、ＣＤＤＢにアクセスして無いことがわかり、次にＣＤＤＢ補助データにアクセスし、このリストを表示させて、表示曲の中にあることによりそれを指示することによって、リッピング曲に登録する。このようにして手入力を行うことなく、また「ノンタイトル」の表示を行うことなく、適切なアーティスト名を付与することができる。
【符号の説明】
【００５６】
１  ＣＤＤＢ補助データアーティスト名蓄積処理部
２  リッピング時ＣＤＤＢ及び補助データ利用アーティスト名登録処理部
３  再生曲アーティスト名取得部
４  ＣＤＤＢ内アーティスト名存否判別部
５  ＣＤＤＢ補助データ内アーティスト名存否判別部
６  ＣＤＤＢ補助データアーティスト名及び関連データ記録部
７  ＣＤＤＢ補助データ内アーティスト名再生回数、再生日順記録部
８  ＣＤＤＢ
９  ＣＤＤＢ補助データ
１０  アーティスト名
１１  再生回数
１２  再生日
１３  アーティスト名表示部
１４  再生回数順
４５  再生日順
１６  リッピングデータＣＤＤＢ内チェック部
１７  ＣＤＤＢ内アーティスト名存否判別部
１８  リッピング曲アーティスト名登録部
１９  ＣＤＤＢ補助データ内アーティスト名チェック部
【図１】
2013097838.tif 000003
【図２】
2013097838.tif 000004
【図３】
2013097838.tif 000005
【図４】
2013097838.tif 000006
【図５】
2013097838.tif 000007